【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
方法であって、
企業システムのユーザのＩＤに関連付けられたユーザ役割を特定するステップと、
前記企業システムにアクセスするように前記ＩＤに登録された第１リモート装置の装置情報を検索するステップと、
前記ユーザ役割に基づいて、前記企業システム内のアクセス可能な第１リソースへのアクセス権を前記ＩＤに与えるアカウントを決定するステップとを含み、前記第１リソースは、前記ユーザ役割でアクセス可能な複数のアプリケーションのうち、第１アプリケーションを用いて、前記第１リモート装置からアクセス可能であり、
コンピュータシステムによって、第１リモート装置を用いて前記アカウントの前記第１リソースにアクセスするように第１アプリケーションを設定するステップを含み、前記第１アプリケーションは、前記第１リソースを提供する第１ターゲットシステムに接続するように、接続情報を用いて設定され、前記第１アプリケーションは、前記アカウントの前記第１リソースにアクセスするように、アクセス情報を用いて設定され、
前記第１アプリケーションを設定したとき、当該第１アプリケーションを前記第１リモート装置に送信するステップを含む、方法。
【請求項２】
前記企業システムにアクセスするように前記ＩＤに登録された複数のリモート装置のうち、第２リモート装置を検出するステップと、
前記第１アプリケーションを設定したとき、当該第１アプリケーションを前記第２リモート装置に送信するステップとをさらに含む、請求項１に記載の方法。
【請求項３】
第１ユーザ役割から第２ユーザ役割に変更する前記ユーザ役割の変更を検出するステップと、
前記第２ユーザ役割に基づいて、前記ＩＤによる前記第１リソースへのアクセス権の変更を判断するステップと、
前記アクセス権の変更に基づいて前記第１アプリケーションのコンフィグレーションを変更するように、第１リモート装置に指示するステップとをさらに含む、請求項１または２に記載の方法。
【請求項４】
前記企業システムにアクセスするように前記ＩＤに登録された複数のリモート装置を検出するステップと、
前記第１アプリケーションを設定したとき、当該第１アプリケーションを前記複数のリモート装置に送信するステップと、
前記アクセス権の変更に基づいて前記第１アプリケーションのコンフィグレーションを変更するように、前記複数のリモート装置の各々に指示するステップとをさらに含む、請求項３に記載の方法。
【請求項５】
前記第１リソースへの前記アクセス権の変更は、前記第１リソースへのアクセス権の取消を含み、
前記第１アプリケーションの変更は、前記第１アプリケーションのために設定された前記接続情報および前記アクセス情報の削除を含む、請求項３または４に記載の方法。
【請求項６】
前記第１リソースへの前記アクセス権の変更は、前記第１リソースへのアクセス権の取消を含み、
前記第１アプリケーションの変更は、前記第１リモート装置から前記第１アプリケーションを削除することを含む、請求項３から５のいずれか１項に記載の方法。
【請求項７】
前記第１アプリケーションの変更は、前記第１アプリケーションのために設定された前記アクセス情報の調整を含む、請求項３から６のいずれか１項に記載の方法。
【請求項８】
第１ユーザ役割から第２ユーザ役割に変更する前記ユーザ役割の変更を検出するステップと、
前記第２ユーザ役割に基づいて、前記第２ユーザ役割でアクセス可能な前記複数のアプリケーションのうち、第２アプリケーションを検出するステップと、
前記ＩＤを用いて前記第１リモート装置からアクセスするように、前記第２アプリケーションを設定するステップとを含み、前記第２アプリケーションは、第２ターゲットシステムによって提供された第２リソースにアクセスするように、情報を用いて設定され、
前記第２アプリケーションを第１リモート装置に送信するステップをさらに含む、請求項１から７のいずれか１項に記載の方法。
【請求項９】
前記装置情報は、前記第１リモート装置のオペレーティングシステム構成および前記第１リモート装置のハードウェア構成を表す前記第１リモート装置の構成を示し、
前記第１アプリケーションは、前記第１リモート装置の前記構成を用いて設定される、請求項１〜８のいずれか１項に記載の方法。
【請求項１０】
前記接続情報は、前記第１ターゲットシステムのポートアドレス、前記第１ターゲットシステムのホストアドレス、および前記第１ターゲットシステムのライトウェイトディレクトリアクセスプロトコル（ＬＤＡＰ）を含む、請求項１から９のいずれか１項に記載の方法。
【請求項１１】
前記ユーザ役割に基づいて、前記複数のアプリケーションのうち、前記ユーザが前記ユーザ役割を実行することを可能にする第２アプリケーションを特定するステップと、
前記企業システム内の第２リソースにアクセスするように前記第２アプリケーションを準備するステップと、
前記第１リモート装置から前記第２リソースにアクセスするように前記第２アプリケーションを設定するステップと、
前記第２アプリケーションを設定したとき、当該第２アプリケーションを送信するステップとをさらに含む、請求項１から１０のいずれか１項に記載の方法。
【請求項１２】
前記アカウントを決定するステップは、
前記アカウントが前記第１ターゲットシステムの前記第１リソースにアクセスするように準備されているか否かを判断するステップと、
前記アカウントが前記第１リソースにアクセスするように準備されていないと判断した場合、前記第１ターゲットシステムの前記第１リソースへのアクセス権を前記ＩＤに与えるように前記アカウントを準備するステップと、
前記アカウントが前記ＩＤに準備されていると判断した場合、前記アカウントに関するアカウント情報を検索するステップとを含む、請求項１から１１のいずれか１項に記載の方法。
【請求項１３】
プロセッサに請求項１から１２のいずれか１項に記載の方法を実行させるためのプログラム。
【請求項１４】
システムであって、
１つ以上のプロセッサと
命令を記憶するメモリとを備え、前記命令は、前記１つ以上のプロセッサによって実行されると、前記１つ以上のプロセッサに指示して、
企業システムのユーザのＩＤに関連付けられたユーザ役割を特定し、
前記企業システムにアクセスするように前記ＩＤに登録された第１リモート装置の装置情報を検索し、
前記ユーザ役割に基づいて、前記企業システム内のアクセス可能な第１リソースへのアクセス権を前記ＩＤに与えるアカウントを決定し、前記第１リソースは、前記ユーザ役割でアクセス可能な複数のアプリケーションのうち、第１アプリケーションを用いて、前記第１リモート装置からアクセス可能であり、
コンピュータシステムによって、第１リモート装置を用いて前記アカウントの第１リソースにアクセスするように、第１アプリケーションを設定し、前記第１アプリケーションは、前記第１リソースを提供する第１ターゲットシステムに接続するように、接続情報を用いて設定され、前記第１アプリケーションは、前記アカウントの前記第１リソースにアクセスするように、アクセス情報を用いて設定され、
前記第１アプリケーションを設定したとき、当該第１アプリケーションを前記第１リモート装置に送信する、システム。
【請求項１５】
前記第１アプリケーションを設定するステップは、前記複数のリモート装置の各々のために、前記第１アプリケーションのインスタンスを設定するステップを含み、
前記第１アプリケーションの前記インスタンスは、リモート装置のコンフィグレーションに基づいて、前記リモート装置用に設定される、請求項１４に記載のシステム。
【請求項１６】
前記リモート装置の前記コンフィグレーションは、前記リモート装置の装置コンフィグレーションまたはオペレーティングシステムコンフィグレーションの一方または両方を含む、請求項１５に記載のシステム。
【請求項１７】
前記第１アプリケーションの前記インスタンスは、前記複数のリモート装置のうち、第１リモート装置および第２リモート装置に対してそれぞれ異なるように設定され、
前記第１リモート装置のコンフィグレーションは、前記第２リモート装置のコンフィグレーションと異なる、請求項１５または１６に記載のシステム。